(57)【要約】【課題】表示部をより適切に表示することのできる照明パネルを提供する。【解決手段】透光性を有する表示部５４が形成された照明パネル５０と、前記照明パネル５０をその裏側から照明することで前記表示部５４を照明する照明用光源２０と、前記照明用光源２０からの光を拡散して前記表示部５４に導く拡散板４０と、前記照明用光源２０から前記表示部５４への光路の周囲を囲む囲み部３２とを備え、前記囲み部３２は、前記拡散板４０を、当該囲み部３２の内側において、前記照明用光源２０と前記照明パネル５０との間であって前記照明パネル５０から前記照明用光源２０側に離間した位置に保持する保持部３４を有することを特徴とする照明装置。【選択図】図２
2009128585.tif 000002
【特許請求の範囲】
【請求項１】
透光性を有する表示部が形成された照明パネルと、
前記照明パネルをその裏側から照明することで前記表示部を照明する照明用光源と、
前記照明用光源からの光を拡散して前記表示部に導く拡散板と、
前記照明用光源から前記表示部への光路の周囲を囲む囲み部とを備え、
前記囲み部は、前記拡散板を、当該囲み部の内側において、前記照明用光源と前記照明パネルとの間であって前記照明パネルから前記照明用光源側に離間した位置に保持する保持部を有することを特徴とする照明装置。
【請求項２】
請求項１に記載の照明装置であって、
前記照明パネルの互いに離間する複数の位置にそれぞれ前記表示部が形成されており、
前記各表示部をそれぞれ照明する複数の照明用光源と、
前記照明用光源からの光を拡散して前記各表示部にそれぞれ導く複数の拡散板と、
前記照明用光源から前記各表示部への光路の周囲をそれぞれ囲む複数の囲み部とを備えるとともに、
前記複数の囲み部は、その内側に前記拡散板を保持する前記保持部をそれぞれ有するとともに、前記各表示部を囲む位置で前記照明パネルに密接していることを特徴とする照明装置。
【請求項３】
請求項１または２に記載の照明装置であって、
前記囲み部を含むハウジングを備え、
当該ハウジングは、前記照明パネルを前記照明用光源から表側に離間した位置に支持する支持部を有することを特徴とする照明装置。
【請求項４】
請求項２に記載の照明装置であって、
前記複数の囲み部を含むハウジングを備え、
当該ハウジングは、前記照明パネルを、前記複数の囲み部をまたぎ、かつ、前記各表示部が前記各照明用光源に対応する位置に配置される位置に支持する支持部を有することを特徴とする照明装置。
【請求項５】
請求項１〜４のいずれかに記載の照明装置であって、
前記囲み部の内壁は、前記照明用光源に向かうにしたがって互いに近接する方向に傾斜する形状を有し、
前記保持部は、前記囲み部の内壁から内側に膨出する段部を有し、
前記段部は、前記囲み部の内径が当該囲み部の内側に保持される前記拡散板の外径と同一あるいはこの拡散板の外径よりも大きくなる位置に設けられて、当該段部の内径が前記拡散板の外径よりも小さくなる位置まで突出する形状を有することを特徴とする照明装置。
【請求項６】
請求項５に記載の照明装置であって、
前記保持部は、前記段部から前記照明パネル側に離間した位置に設けられて、前記囲み部の内壁から内側に突出する支持突起を有し、
前記支持突起は、前記拡散板を前記段部との間で挟み込んで当該拡散板の前記照明パネル側への移動を規制する規制位置と、当該規制位置から外側に離間する方向に退避して前記拡散板の規制状態を解除する規制解除位置との間で弾性変形可能な形状を有していることを特徴とする照明装置。
【発明の詳細な説明】
【技術分野】
【０００１】
本発明は、照明用光源を有する照明装置に関するものである。
【背景技術】
【０００２】
従来、自動車のインストゥルメントパネル等には、各種装置の操作状態等を示す表示部を照明用光源により照明する照明装置が設けられている。
【０００３】
例えば、特許文献１には、図５に示すように、ハウジング１３０に固定された照明パネル１５０の裏側にＬＥＤ１２０が設けられており、このＬＥＤ１２０によって前記照明パネル１５０に形成された透光性を有する表示部が照明される照明装置１００が開示されている。この照明装置１００では、前記照明パネル１５０の裏側面に両面テープ等で拡散フィルム１４０が接着されており、この拡散フィルム１４０によって、前記ＬＥＤ１２０からの光が前記照明パネル１５０に対して均一な輝度で拡散される。
【特許文献１】特開２００３−１８６４２７号公報
【発明の開示】
【発明が解決しようとする課題】
【０００４】
前記の照明装置１００では、前記拡散フィルム１４０と前記照明パネル１５０とが密着しており、前記ＬＥＤ１２０が点灯していないにも関わらず、太陽光等の外光の影響によって前記拡散フィルム１４０が前記表示部を通して見えてしまう場合がある。そして、前記拡散フィルム１４０が見えることで使用者等が前記表示部が表示されていると誤認するおそれがある。
【０００５】
本発明は、このような事情に鑑み、表示部をより適切に表示することのできる照明パネルの提供を目的とする。
【課題を解決するための手段】
【０００６】
前記課題を解決するための手段として、本発明は、透光性を有する表示部が形成された照明パネルと、前記照明パネルをその裏側から照明することで前記表示部を照明する照明用光源と、前記照明用光源からの光を拡散して前記表示部に導く拡散板と、前記照明用光源から前記表示部への光路の周囲を囲む囲み部とを備え、前記囲み部は、前記拡散板を、当該囲み部の内側において、前記照明用光源と前記照明パネルとの間であって前記照明パネルから前記照明用光源側に離間した位置に保持する保持部を有することを特徴とする照明装置を提供する（請求項１）。
【０００７】
この装置によれば、前記保持部が、前記照明用光源と前記照明パネルとの間であって、前記照明パネルから前記照明用光源側に離間した位置に前記拡散板を保持するので、前記拡散板による前記照明パネルへの光の拡散作用が維持されるとともに、前記照明用光源が点灯されていない状態で前記拡散板が表側から視認されるのが抑制される。このことは、前記表示部の適切な表示を実現する。
【０００８】
また、本発明において、前記照明パネルの互いに離間する複数の位置にそれぞれ前記表示部が形成されており、前記各表示部をそれぞれ照明する複数の照明用光源と、前記照明用光源からの光を拡散して前記各表示部にそれぞれ導く複数の拡散板と、前記照明用光源から前記各表示部への光路の周囲をそれぞれ囲む複数の囲み部とを備えるとともに、前記複数の囲み部は、その内側に前記拡散板を保持する前記保持部をそれぞれ有するとともに、前記各表示部を囲む位置で前記照明パネルに密接しているのが好ましい（請求項２）。
【０００９】
この構造では、前記表示部毎に照明用光源、拡散板および囲み部が設けられており、各表示部にそれぞれ効率よく照明用光源からの光が導かれる。しかも、前記囲み部が各表示部を囲む位置で前記照明パネルに密接しており、この囲み部と照明パネルとの密接が、各囲み部内の照明用光源からの光の外部への漏洩すなわち前記光の他の表示部側への漏洩を抑制するので、各表示部がより適切に表示される。
【００１０】
また、本発明において、前記囲み部を含むハウジングを備え、当該ハウジングは、前記照明パネルを前記照明用光源から表側に離間した位置に支持する支持部を有するのが好ましい（請求項３）。特に、前記照明パネルの互いに離間する複数の位置にそれぞれ前記表示部が形成されている場合には、前記複数の囲み部を含むハウジングを設け、当該ハウジングに、前記照明パネルを、前記複数の囲み部をまたぎ、かつ、前記各表示部が前記各照明用光源に対応する位置に配置される位置に支持する支持部を設けるのが好ましい（請求項４）。
【００１１】
このようにすれば、前記拡散板と前記照明パネルとがそれぞれ前記ハウジングにより支持されるので、前記拡散板と照明パネルとの距離をより容易に適切な状態にすることができる。
【００１２】
また、本発明において、前記囲み部の内壁は、前記照明用光源に向かうにしたがって互いに近接する方向に傾斜する形状を有し、前記保持部は、前記囲み部の内壁から内側に膨出する段部を有し、前記段部は、前記囲み部の内径が当該囲み部の内側に保持される前記拡散板の外径と同一あるいはこの拡散板の外径よりも大きくなる位置に設けられて、当該段部の内径が前記拡散板の外径よりも小さくなる位置まで突出する形状を有するのが好ましい（請求項５）。
【００１３】
このようにすれば、前記拡散板を前記照明パネル側から容易に挿入することができるとともに、前記段部によって前記拡散板の照明用光源側への移動が規制されるので、前記拡散板を適切な位置に安定して保持することができる。
【００１４】
また、前記保持部は、前記段部から前記照明パネル側に離間した位置に設けられて、前記囲み部の内壁から内側に突出する支持突起を有し、前記支持突起は、前記拡散板を前記段部との間で挟み込んで当該拡散板の前記照明パネル側への移動を規制する規制位置と、当該規制位置から外側に離間する方向に退避して前記拡散板の規制状態を解除する規制解除位置との間で弾性変形可能な形状を有していることが好ましい（請求項６）。
【００１５】
このようにすれば、前記段部と前記支持突起とによって前記拡散板をより安定して保持することができるとともに、前記支持突起を前記規制解除位置に移動させつつ前記拡散板をこの支持突起と前記段部とによりその移動が規制される位置に配置することで、前記拡散板を容易に取り付けることができる。
【発明の効果】
【００１６】
以上のように、本発明によれば、非照明時における拡散板の表側からの視認性を抑制し、表示部をより適切に表示することのできる照明パネルを提供することができる。
【発明を実施するための最良の形態】
【００１７】
本発明の好ましい実施形態について図面を参照しながら説明する。
【００１８】
ここでは、本発明に係る照明装置がインストゥルメントパネルに取り付けられる場合について説明する。
【００１９】
図１は、前記照明装置１の概略分解斜視図であり、図２はこの照明装置１の概略断面図である。前記照明装置１は、基板１０と、複数のＬＥＤ（照明用光源）２０と、ハウジング３０と、複数の拡散板４０と、前記照明パネル５０とを有している。この照明装置１は、図１および図２に示すように、インストゥルメントパネルの一部を構成する化粧板６０の裏側に取り付けられている。より詳細には、前記照明装置１は、前記化粧板６０の略中央部分に設けられた表裏に貫通する表示窓６２と対応する位置に前記照明パネル５０の後述する表示部５４が配置されるように取り付けられている。そして、この照明装置１は、前記ＬＥＤ２０からの光を前記照明パネル５０に照射し、前記照明パネル５０に形成された表示部５４を照明することで前記表示部５４を構成する所定の文字あるいは図形を照明表示する。
【００２０】
前記照明パネル５０は、前述のように、前記ＬＥＤ２０により裏面から照明される部材である。この照明パネル５０は、透光性を有する薄板であるが、図３に示すように、その一部が黒色に印刷されており、この印刷によって不透光性の非表示部５２と透光性を有する複数の表示部５４とが形成されている。本照明装置１では、前記ＬＥＤ２０からの光が前記表示部５４においてのみ表側に透過することで所定の表示を行う。
【００２１】
本実施形態では、照明パネル５０の互いに離間した位置に、シートベルトが着用されていないことを示す図形からなる第一表示部５４ａと、エアバッグが作動可能状態にあることを示す「ＡＩＲ  ＢＡＧ  ＯＮ」の文字からなる第二表示部５４ｂと、エアバッグが作動不可能状態にあることを示す「ＡＩＲ  ＢＡＧ  ＯＦＦ」の文字からなる第三表示部５４ｃとがそれぞれ形成されている。
【００２２】
前記照明パネル５０の長手方向両端には、表裏に貫通する被係止孔５８が形成されている。そして、この照明パネル５０は、前記被係止孔５８に後述するハウジング３０のパネル係止突起３８が挿入されることで前記ハウジング３０の表側面に固定される。
【００２３】
前記複数のＬＥＤ２０は、表側に発光することで前記操作パネル５０の裏面を照明し、前記各表示部５４ａ，５４ｂ，５４ｃをそれぞれ照明するものである。これらＬＥＤ２０は、前記化粧板６０の裏側に設けられた基板１０上にそれぞれ実装されている。
【００２４】
各ＬＥＤ２０は、所定の制御回路等に接続されており、この制御回路からの信号に基づき所定のタイミングで点灯する。具体的には、前記第一表示部５４ａを照明するために２個の第一ＬＥＤ２０ａが実装されており、これら２個の第一ＬＥＤ２０ａはシートベルトが着用されていない場合に点灯して前記第一表示部５４ａを照明する。また、前記第二表示部５４ｂを照明するために４個の第二ＬＥＤ２０ｂが実装されており、これら４個の第二ＬＥＤ２０ｂはエアバッグが作動不可能状態の場合に点灯して前記第二表示部５４ｂを照明する。また、前記第三表示部５４ｃを照明するために４個の第三ＬＥＤ２０ｃが実装されており、これら４個の第三ＬＥＤ２０ｃは、エアバッグが作動可能状態の場合に点灯して前記第三表示部５４ｃを照明する。
【００２５】
前記複数の拡散板４０は、前記ＬＥＤ２０からの光を均一な輝度に拡散させるための乳白色の薄板部材である。これら拡散板４０は、前記ＬＥＤ２０と前記表示部５４との間に設けられて、各ＬＥＤ２０からの光を拡散させ、その光を前記照明パネル５０の各表示部５４にそれぞれ均一に照射する。
【００２６】
本実施形態では、前記各表示部５４に対応して、３つの拡散板４０が設けられており、各拡散板４０によって各表示部５４に対してそれぞれ効率よく前記各ＬＥＤ２０の光が拡散される。具体的には、前記第一表示部５４ａに対して前記第一ＬＥＤ２０ａの光を拡散させる第一拡散板４０ａと、前記第二表示部５４ｂに対して前記第二ＬＥＤ２０ｂの光を拡散させる第二拡散板４０ｂと、前記第三表示部５４ｃに対して前記第三ＬＥＤ２０ｃの光を拡散させる第三拡散板４０ｃとが設けられている。
【００２７】
前記ハウジング３０は、前記基板１０と前記照明パネル５０との間に介在する略直方体の樹脂等からなる部材である。
【００２８】
このハウジング３０には、前記各ＬＥＤ２０ａ，２０ｂ，２０ｃから前記各表示部５４ａ，５４ｂ，５４ｃへの光路の周囲を囲む複数の囲み部３２が設けられている。これら囲み部３２は、表裏に延びて、表裏方向の所定の軸の四方を囲む形状を有しており、その内側に表裏に貫通する貫通孔を画設している。そして、これら囲み部３２は、前記各表示部５４ａ，５４ｂ，５４ｃと前記各ＬＥＤ２０ａ，２０ｂ，２０ｃとそれぞれ対応する位置であって、各ＬＥＤ２０ａ，２０ｂ，２０ｃからの光がその内側を通って各表示部５４ａ，５４ｂ，５４ｃへ通過する位置に配置されることで、各ＬＥＤ２０の光路の周囲を囲む。
【００２９】
本実施形態では、各ＬＥＤ２０ａ，２０ｂ，２０ｃから各表示部５４ａ，５４ｂ，５４ｃへの光路を個別に囲むべく３つの囲み部３２が設けられている。すなわち、前記ハウジング３０には、前記第一ＬＥＤ２０ａから前記第一表示部５４ａへの光路を囲む第一囲み部３２ａと、前記第二ＬＥＤ２０ｂから前記第二表示部５４ｂへの光路を囲む第二囲み部３２ｂと、前記第三ＬＥＤ２０ｃから前記第三表示部５４ｃへの光路を囲む第三囲み部３２ｃとが設けられている。そして、これら囲み部３２ａ，３２ｂ，３２ｃは各囲み部３２ａ，３２ｂ，３２ｃを構成する壁によって互いに隔絶されており、各ＬＥＤ２０ａ，２０ｂ，２０ｃからの光線が各囲み部３２ａ，３２ｂ，３２ｃの通過途中に他の囲み部３２ａ，３２ｂ，３２ｃ側に入り込まないように構成されている。本実施形態では、各囲み部３２ａ，３２ｂ，３２ｃは互いに一体に形成されている。
【００３０】
前記各囲み部３２ａ，３２ｂ，３２ｃには、前記各拡散板４０ａ，４０ｂ，４０ｃを各囲み部３２ａ，３２ｂ，３２ｃ内に個別に保持するための保持部３４がそれぞれ設けられている。この保持部３４は各囲み部３２ａ，３２ｂ，３２ｃの内壁３３から内側に膨出する段部３４ａと、前記内壁３３から内側に突出する支持突起３４ｂとからなる。
【００３１】
前記各囲み部３２ａ，３２ｂ，３２ｃの各内壁３３は、裏側に向かうにしたがって互いに近接する方向に傾斜する形状を有しており、前記各拡散板４０ａ，４０ｂ，４０ｃを表側から容易に各囲み部３２ａ，３２ｂ，３２ｃ内に挿入できるようになっている。そして、前記段部３４ａは、前記内壁３３の表裏方向の略中間付近であって、前記各囲み部３２ａ，３２ｂ，３２ｃの内径がその内側に取り付けられる各拡散板４０ａ，４０ｂ，４０ｃの外径と同一あるいはこれら拡散板４０ａ，４０ｂ，４０ｃの外径よりも大きくなる位置に設けられている。また、前記段部３４ａは、その内径が前記拡散板４０の外径よりも小さくなる位置まで突出する形状を有しており、各囲み部３２ａ，３２ｂ，３２ｃ内に挿入された各拡散板４０ａ，４０ｂ，４０ｃの裏側面に当接することで、これら拡散板４０ａ，４０ｂ，４０ｃの裏側への移動を規制する。
【００３２】
前記支持突起３４ｂは、前記段部３４ａよりも表側に前記各拡散板４０ａ，４０ｂ，４０ｃの板厚分だけ離間した位置に設けられている。そして、前記支持突起３４ｂは、前記段部３４ａと当接する位置に挿入された各拡散板４０ａ，４０ｂ，４０ｃの表側面と当接する位置まで突出する形状を有しており、この当接によって各拡散板４０ａ，４０ｂ，４０ｃの前記照明パネル５０側すなわち表側への移動を規制する。このようにして、各拡散板４０ａ，４０ｂ，４０ｃは、前記段部３４ａと前記支持突起３４ｂとによって挟持されることで各囲み部３２ａ，３２ｂ，３２ｃの略中間位置であって、前記照明パネル５０から離間した位置に保持される。
【００３３】
また、前記支持突起３４ｂは、前記囲み部３２の内壁３３から内側に突出して前記各拡散板４０ａ，４０ｂ，４０ｃの表側への移動を規制する規制位置と、この規制位置から外側に離間する方向に退避して各拡散板４０ａ，４０ｂ，４０ｃの規制状態を解除する規制解除位置との間で弾性変形可能な形状を有している。従って、前記支持突起３４ｂを前記規制解除位置に移動させることで、各拡散板４０ａ，４０ｂ，４０ｃを表側から容易に挿入することができる。
【００３４】
前記ハウジング３０の表側面には、表側に突出するパネル係止突起（支持部）３８が設けられている。そして、このハウジング３０は、このパネル係止突起３８に前記照明パネル５０の被係止孔５８が挿入されることで、この照明パネル５０をハウジング３０の表側面に固定する。この状態において、前記照明パネル５０は、各囲み部３２ａ，３２ｂ，３２ｃをまたぎ、各表示部５４ａ，５４ｂ，５４ｃを含む部分がそれぞれ各囲み部３２ａ，３２ｂ，３２ｃの表側の開口を覆う位置に配置される。また、前記照明パネル５０は、照明パネル５０と前記各囲み部３２ａ，３２ｂ，３２ｃとの間に隙間が形成されないように、各表示部５４ａ，５４ｂ，５４ｃを囲む非表示部５２と各囲み部３２ａ，３２ｂ，３２ｃの表側面とが密接するように固定され、各ＬＥＤ２０ａ，２０ｂ，２０ｃからの光線が前記隙間を通って他の表示部５４を照明しないように固定される。ここで、前記照明パネル５０と前記ハウジング３０との間に接着材等を介在させ、この接着材等により照明パネル５０とハウジング３０とを互いに固定してもよい。
【００３５】
前記ハウジング３０の裏側面には前記基板１０が固定される。具体的には、前記基板１０は、各囲み部３２の裏側の開口を覆うようにハウジング３０の裏側面に接着される。この状態にて、前記各ＬＥＤ２０ａ，２０ｂ，２０ｃは、前記各囲み部３２ａ，３２ｂ，３２ｃの内側に前記各表示部５４と対応する位置に収容されて、各光が前記各拡散板４０ａ，４０ｂ，４０ｃを介して各表示部５４ａ，５４ｂ，５４ｃに照射される位置に配置される。また、この状態において、各ＬＥＤ２０ａ，２０ｂ，２０ｃから各表示部５４ａ，５４ｂ，５４ｃへの各光路の周囲が、前記各囲み部３２ａ，３２ｂ，３２ｃによって囲まれる。
【００３６】
以上のように構成された本照明装置１では、前記ＬＥＤ２０が点灯しておらず前記表示部５４が表示されていない状態から、前記ＬＥＤ２０が点灯すると、図４に示すように、ＬＥＤ２０の光が前記表示部５４から表側に透過し、表示部５４が照明表示されて、前記エアバッグの作動状態等が運転者等に報知される。ここで、前述のように前記拡散板４０は前記照明パネル５０から離間した位置に保持されており、前記ＬＥＤ２０が点灯していない状態では前記拡散板４０を表側から視認するのは困難である。そのため、本照明装置１では、前記ＬＥＤ２０が点灯していない状態で前記表示部５４を介して前記拡散板４０が見えるといった事態ひいては運転者等が前記ＬＥＤ２０が点灯していると誤認する事態をより確実に回避することができる。
【００３７】
また、前記ＬＥＤ２０が点灯した状態では、各ＬＥＤ２０ａ，２０ｂ，２０ｃから各表示部５４ａ，５４ｂ，５４ｃへの各光路が前記各囲み部３２ａ，３２ｂ，３２ｃで囲まれており、囲み部３２ａ，３２ｂ，３２ｃ間での光の透過が抑制されることで、各表示部５４ａ，５４ｂ，５４ｃはそれぞれ個別に適切に照明表示されることになる。
【００３８】
ここで、前記表示部５４、拡散板４０、ＬＥＤ２０の数は前記に限らない。例えば、複数の表示部５４に対して１枚の拡散板４０を設けてもよい。
【００３９】
また、前記囲み部３２の数や具体的な形状は前記に限らない。但し、前述のように、この囲み部３２を、その内壁３３を前記ＬＥＤ２０側に向かうにしたがって互いに近接する方向に傾斜する形状とすれば、前記囲み部３２の内側への前記拡散板４０の取り付けが容易になる。
【００４０】
また、前記拡散板４０を保持する前記保持部３４の具体的な構成は前記に限らない。例えば、前記拡散板４０の側面と前記囲み部３２の内壁３３とが接着材等で固定される構成であってもよい。ただし、前述のように、囲み部３２の内壁３３に前記段部３４ａを設けておけば、比較的簡単な構成で前記拡散板４０の前記ＬＥＤ２０側への移動を規制することができる。また、前記支持突起３４ｂを設けておけば、前記拡散板４０の前記照明パネル５０側への移動を容易に規制することができる。
【００４１】
また、前記照明パネル５０を固定する具体的な構成は前記に限らない。例えば、前記照明パネル５０は、前記化粧板６０等に固定されていてもよい。ただし、前述のように、前記ハウジング３０によって前記照明パネル５０を固定すれば、この照明パネル５０と前記拡散板４０との距離をより容易に適切な状態に維持することができる。
【００４２】
また、前記拡散板４０の具体的な位置は前記に限らない。
【図面の簡単な説明】
【００４３】
【図１】本発明に係る照明装置の概略分解斜視図である。
【図２】図１に示す照明装置の概略断面図である。
【図３】図１に示す照明装置の照明パネルの概略正面図である。
【図４】図２の部分拡大図である。
【図５】従来の照明装置の概略断面図である。
【符号の説明】
【００４４】
１    照明装置
１０    基板
２０    ＬＥＤ（照明用光源）
３０    ハウジング
３２    囲み部
３４    保持部
３４ａ  段部
３４ｂ  支持突起
３８    パネル係止突起（支持部）
４０    拡散板
５０    照明パネル
５４    表示部
６０    化粧板
【図１】
2009128585.tif 000003
【図２】
2009128585.tif 000004
【図３】
2009128585.tif 000005
【図４】
2009128585.tif 000006
【図５】
2009128585.tif 000007